(57)【要約】【課題】  薄くすると共に、その幅を狭くすることができるプッシュ式の中留及びこの中留を備えた時計を提供する。【解決手段】  中留７には、中留本体１２に、一対のプッシュボタン１２Ａ、１２Ｂのそれぞれと一体的に形成される一対のスライド板２２Ａ、２２Ｂをバンド５の幅方向に間隔を空けて配置されると共に、下板１３に、各スライド板２２Ａ、２２Ｂがそれぞれ係合する一対の係合部１５Ａ、１５Ｂを設けるようにした。【選択図】      図３
2005137790.tif 000002
【特許請求の範囲】
【請求項１】
バンドの幅方向に押下操作可能に設けられた一対のプッシュボタンを有し、バンドに設けられる中留本体と、この中留本体に係止される係止部材とを備え、プッシュボタンの操作により係止を解除するプッシュ式の中留において、
前記中留本体は、
前記プッシュボタンと一体に形成され、前記バンドの幅方向に間隔を空けて配置される一対のスライド部材と、
前記一対のスライド部材を前記間隔が拡がる方向に付勢する付勢部材と、
前記一対のスライド部材をそれぞれ前記バンドの幅方向にスライド可能に保持する保持部材とを有し、
前記係止部材は、
前記一対のスライド部材がそれぞれ係合する一対の係合部を有する
ことを特徴とする中留。
【請求項２】
前記スライド部材のそれぞれには、対応する前記係合部が係合する開口部が設けられることを特徴とする請求項１に記載の中留。
【請求項３】
前記スライド部材のそれぞれには、前記スライド部材の厚さ方向に凹んだ凹み部が設けられ、この凹み部の底部に前記開口部が設けられ、
前記係合部は、前記開口部を介して前記凹み部の底部に引っ掛かる先端部を有し、前記開口部に係合した際に、前記先端部は前記凹み部の凹んだ空間内に収まることを特徴とする請求項２に記載の中留。
【請求項４】
前記一対のスライド部材には、それぞれ前記バンドの幅方向に切り欠いた切欠き部が対向する位置に設けられ、
前記付勢部材は、前記対向する切欠き部によって形成される空間に配置されることを特徴とする請求項１乃至３のいずれかに記載の中留。
【請求項５】
前記保持部材は、金属製の板部材の両端が折り曲げられて、前記保持部材を前記中留本体のカバーに連結するための連結ピンが挿通されるピン穴部が両端に形成され、これらピン穴部は、その一部が前記バンドの長さ方向に切り曲げられて、前記一対のスライド部材の前記バンドの幅方向への移動範囲を規制することを特徴とする請求項１乃至４のいずれかに記載の中留。
【請求項６】
時計本体と、
時計本体の両端に連結されたバンドと、
一方の前記バンドの他端に設けられ、このバンドの幅方向に押下操作可能に設けられた一対のプッシュボタンを有する中留本体と、他方の前記バンドの他端に連結され、若しくは、前記中留本体に回転可能に連結されて、この中留本体に係止される係止部材とを備えるプッシュ式の中留と、を備える時計において、
前記中留本体は、
前記プッシュボタンと一体に形成され、前記バンドの幅方向に間隔を空けて配置される一対のスライド部材と、
前記一対のスライド部材を前記間隔が拡がる方向に付勢する付勢部材と、
前記一対のスライド部材をそれぞれ前記バンドの幅方向にスライド可能に保持する保持部材とを有し、
前記係止部材は、
前記一対のスライド部材がそれぞれ係合する一対の係合部を有する
ことを特徴とする時計。
【請求項７】
前記スライド部材のそれぞれには、対応する前記係合部が係合する開口部が設けられることを特徴とする請求項６に記載の時計。
【請求項８】
前記スライド部材のそれぞれには、前記スライド部材の厚さ方向に凹んだ凹み部が設けられ、この凹み部の底部に前記開口部が設けられ、
前記係合部は、前記開口部を介して前記凹み部の底部に引っ掛かる先端部を有し、前記開口部に係合した際に、前記先端部は前記凹み部の凹んだ空間内に収まることを特徴とする請求項７に記載の時計。
【請求項９】
前記一対のスライド部材には、それぞれ前記バンドの幅方向に切り欠いた切欠き部が対向する位置に設けられ、
前記付勢部材は、前記対向する切欠き部によって形成される空間に配置されることを特徴とする請求項６乃至８のいずれかに記載の時計。
【請求項１０】
前記保持部材は、金属製の板部材の両端が折り曲げられて、前記保持部材を前記中留本体のカバーに連結するための連結ピンが挿通されるピン穴部が両端に形成され、これらピン穴部は、その一部が前記バンドの長さ方向に切り曲げられて、前記一対のスライド部材の前記バンドの幅方向への移動範囲を規制することを特徴とする請求項６乃至９のいずれかに記載の時計。
【発明の詳細な説明】
【技術分野】
【０００１】
本発明は、プッシュ式の中留及びこれを備えた時計に関する。
【背景技術】
【０００２】
腕時計の時計バンドや装身具等の中留として、二つ折れ方式、三つ折れ方式、両開き（観音開き）方式等が知られている。例えば、二つ折れ方式の中留は、バンドの端部に設けられる中留本体と、この中留本体に回動可能に連結される係止部材とを備え、係止部材が他のバンドの端部に設けられたピンを挟持するように回動された後に、さらに回動させて、この係止部材に設けられた係止部を中留本体に係止できるように構成される。
この種の中留には、中留本体内に、バンドの幅方向に移動可能な一対のプッシュボタンを設け、この一対のプッシュボタンを操作（プッシュ操作）することによって、係止を簡単に解除できるようにしたプッシュ式の中留がある。このプッシュ式の中留は、中留の幅を狭くする場合に、一対のプッシュボタンの一部を重ねて配置している（例えば、特許文献１参照）。
【特許文献１】特開平７−３１３２２２号公報
【発明の開示】
【発明が解決しようとする課題】
【０００３】
しかしながら、一対のプッシュボタンの一部を重ねて配置すると、中留本体を薄くするのが困難となる。このため、薄く、かつ、幅の狭い中留を作成するのが困難な問題があった。
本発明は、上述した事情に鑑みてなされたものであり、薄くすると共に、その幅を狭くすることができるプッシュ式の中留及びこの中留を備えた時計を提供することを目的としている。
【課題を解決するための手段】
【０００４】
上述課題を解決するため、本発明は、バンドの幅方向に押下操作可能に設けられた一対のプッシュボタンを有し、バンドに設けられる中留本体と、この中留本体に係止される係止部材とを備え、プッシュボタンの操作により係止を解除するプッシュ式の中留において、前記中留本体は、前記プッシュボタンと一体に形成され、前記バンドの幅方向に間隔を空けて配置される一対のスライド部材と、前記一対のスライド部材を前記間隔が拡がる方向に付勢する付勢部材と、前記一対のスライド部材をそれぞれ前記バンドの幅方向にスライド可能に保持する保持部材とを有し、前記係止部材は、前記一対のスライド部材がそれぞれ係合する一対の係合部を有することを特徴とする。この構成によれば、一対のプッシュボタンのそれぞれと一体的に形成される一対のスライド板をバンドの幅方向に間隔を空けて配置すると共に、各スライド板がそれぞれ係合する一対の係合部を設けることにより、スライド部材が重なることがなく、その分、中留を薄くすることができる。また、一対のスライド部材を近接して配置することによって、中留の幅を狭くすることができる。
【０００５】
上記構成においては、前記スライド部材のそれぞれには、対応する前記係合部が係合する開口部を設けることが好ましく、この場合、前記スライド部材のそれぞれには、前記スライド部材の厚さ方向に凹んだ凹み部が設けられ、この凹み部の底部に前記開口部が設けられ、前記係合部は、前記開口部を介して前記凹み部の底部に引っ掛かる先端部を有し、前記開口部に係合した際に、前記先端部は前記凹み部の凹んだ空間内に収まるようにすることが好ましい。
【０００６】
また、上記構成においては、前記一対のスライド部材には、それぞれ前記バンドの幅方向に切り欠いた切欠き部が対向する位置に設けられ、前記付勢部材は、前記対向する切欠き部によって形成される空間に配置されることが好ましい。また、上記構成においては、前記保持部材は、金属製の板部材の両端が折り曲げられて、前記保持部材を前記中留本体のカバーに連結するための連結ピンが挿通されるピン穴部が両端に形成され、これらピン穴部は、その一部が前記バンドの長さ方向に切り曲げられて、前記一対のスライド部材の前記バンドの幅方向への移動範囲を規制することが好ましい。
【０００７】
また、本発明は、時計本体と、時計本体の両端に連結されたバンドと、一方の前記バンドの他端に設けられ、このバンドの幅方向に押下操作可能に設けられた一対のプッシュボタンを有する中留本体と、他方の前記バンドの他端に連結され、若しくは、前記中留本体に回転可能に連結されて、この中留本体に係止される係止部材とを備えるプッシュ式の中留と、を備える時計において、前記中留本体は、前記プッシュボタンと一体に形成され、前記バンドの幅方向に間隔を空けて配置される一対のスライド部材と、前記一対のスライド部材を前記間隔が拡がる方向に付勢する付勢部材と、前記一対のスライド部材をそれぞれ前記バンドの幅方向にスライド可能に保持する保持部材とを有し、前記係止部材は、前記一対のスライド部材がそれぞれ係合する一対の係合部を有することを特徴とする。この構成によれば、一対のプッシュボタンのそれぞれと一体的に形成される一対のスライド板をバンドの幅方向に間隔を空けて配置すると共に、各スライド板がそれぞれ係合する一対の係合部を設けることにより、スライド部材が重なることがなく、その分、中留を薄くすることができる。また、一対のスライド部材を近接して配置することによって、中留の幅を狭くすることができる。
【発明の効果】
【０００８】
本発明は、一対のプッシュボタンのそれぞれと一体的に形成される一対のスライド板をバンドの幅方向に間隔を空けて配置すると共に、各スライド板がそれぞれ係合する一対の係合部を設けることにより、この種のスライド部材を重ねて配置した従来の中留に比して薄くすると共に、中留の幅を狭くすることができる。
【発明を実施するための最良の形態】
【０００９】
以下、図面を参照しつつ本発明の実施の形態について説明する。
図１は、本発明の実施形態に係る腕時計の外観構成を示す図である。この腕時計１は、時刻表示を行う時計本体３と、この時計本体３の両端に連結されたバンド５とから構成される。時計本体３は、ステンレス、チタン等で形成された金属ケース内に、時計表示部が内蔵されて構成される。なお、本実施形態では、時刻をアナログ表示する腕時計を例示したが、時刻をデジタル表示する腕時計であってもよい。
【００１０】
バンド５は、ステンレス、チタン等の金属材料で形成された駒を多数連結して構成される。バンド５は、上バンド５Ａと、下バンド５Ｂとからなり、これら上バンド５Ａと、下バンド５Ｂとは、この腕時計１を装着部位（装着者の手首）に止めるため、中留７で係止される。なお、バンド５は、金属材料で形成された駒を多数連結して構成されるものに限定されず、例えば、皮バンド、ウレタン・ゴム等のラバー系バンドであってもよい。
【００１１】
図２は、中留７を拡げた状態を示す斜視図である。この中留７は、いわゆる三折れ方式（三折れプッシュ方式ともいう。）の中留であり、上バンド５Ａの端部に設けられた中留本体１２と、下バンド５Ｂの端部に連結された下板（係止部材）１３と、中留本体１２と下板１３とを折り畳み可能に連結する中板１４とを有し、下板１３には、中留本体１２と下板１３とを折り畳んだ状態に係止するための係合部１５が設けられる。詳述すると、上バンド５Ａと、中留本体１２と、下板１３と、中板１４とは図示せぬピンによって互いに連結され、これにより、中留７を円滑に折り畳むことできる共に、この中留７の装着部位（装着者の手首）の動きに合わせてそれぞれが円滑に回動して装着部位にフィットするようになっている。
【００１２】
係合部１５は、中留本体１２と下板１３とを折り畳んだ際に、中板１４の窓穴１６を貫通し、中留本体１２内で、一対のプッシュボタン１２Ａ、１２Ｂの操作により解除されるロック機構に係合する。本実施形態では、係合部１５として、下板１３の一部を切り起こして（切り曲げて）、逆Ｌ字状の２つの係合部１５Ａ、１５Ｂがバンド５の幅方向に間隔を空けて形成されている。
【００１３】
図３は中留本体１２の分解斜視図であり、図４及び図５は中留７のロック機構の断面及び平面を示す図である。中留本体１２は、表カバー２１と、この表カバー２１内に収容される一対のスライド板（スライド部材）２２Ａ、２２Ｂと、このスライド板２２Ａ、２２Ｂをバンド５の幅方向Ｙにスライド可能に保持する保持体（保持部材）２３とから概略構成される。
表カバー２１には、一対のプッシュボタン１２Ａ、１２Ｂを通すための開口部２１Ａと、複数のピン穴２１Ｂが形成される。保持体２３は、金属製の一枚の板部材の両端が折り曲げられて、連結ピン（ばね棒等）３０が挿通されるピン穴部２６、２７が形成され、このピン穴部２６、２７に挿通された連結ピン３０の両端を表カバー２１のピン穴２１Ｂに嵌め込むことによって表カバー２１に固定される。また、この保持体２３には、中留本体１２と下板１３とを折り畳んだ際に、下板１３の係合部１５（１５Ａ、１５Ｂ）が貫通する窓穴２８が設けられる。
【００１４】
スライド板２２Ａ、２２Ｂは、バンド５の幅方向Ｙに間隔を空けて保持体２３上に配置され、バンド５の幅方向Ｙにスライドする。このスライド板２２Ａ、２２Ｂは、対称形状に形成されており、表カバー２１の開口部２１Ａ又は２１Ｂから外側に突出する外側突出部３１が形成され、この外側突出部３１がプッシュボタン１２Ａ、１２Ｂとなる。
また、この一対のスライド板２２Ａ、２２Ｂは、２つのコイルばね４０によってその間隔を拡げる方向（すなわち、外側）に付勢される。すなわち、これらスライド板２２Ａ、２２Ｂには、バンド５の幅方向Ｙに切り欠いた切欠き部３２Ａ、３２Ｂが対向する位置に設けられ、この対向する切欠き部３２Ａ、３２Ｂによて形成される空間にコイルばね（付勢部材）４０が一本ずつ配置され、これらコイルばね４０によって、スライド板２２Ａ、２２Ｂがその間隔を拡げる方向、つまり、外側に付勢される。なお、コイルばね４０に限らず、板ばね等の他の付勢部材を用いるようにしてもよい。
【００１５】
また、スライド板２２Ａ、２２Ｂには、スライド板２２Ａ、２２Ｂの厚さ方向に凹んだ凹み部３３が設けられ、この凹み部３３の底部には、下板１３に設けられた係合部１５Ａ、１５Ｂがそれぞれ係合する、略矩形状の開口部３４が形成される。ここで、図４に示すように、係合部１５Ａ、１５Ｂは、開口部３４を介して凹み部３３の底部に引っ掛かる先端部１５Ｃ（より具体的には、先端部１５Ｃの上面位置α）が、凹み部３３の凹んだ空間の範囲β内に収まるように形成されている。
【００１６】
また、図３及び図５に示すように、保持体２３のピン穴部２６、２７は、その一部がバンド２０の長さ方向に切り曲げられ、この切り曲げ部２６Ａ、２７Ａによって、スライド板２２Ａ、２２Ｂのバンド５の幅方向への移動範囲や移動の偏りを規制する。具体的には、この切り曲げ部２６Ａ、２７Ａは、プッシュボタン１２Ａ、１２Ｂが操作（押下操作）された場合に、スライド板２２Ａ、２２Ｂを、その両方が同時に係合部１５Ａ、１５Ｂとの係合を解く位置までしか移動させない。これによって、一方だけの係合が解かれて他方が係合されたままとなってしまう場合、つまり、中留７の係止を解除できなくなる不具合を防止している。
【００１７】
ところで、上述したように、一対のスライド板２２Ａ、２２Ｂは、コイルばね４０によってその間隔を拡げる方向に付勢されているため、スライド板２２Ａ、２２Ｂに係合部１５Ａ、１５Ｂが係合する前は、図６にスライド板２２Ａと係合部１５Ａとの位置関係を模式的に示すように、係合部１５Ａは開口部３４に挿通しない部位γに当接することとなる。本実施形態では、中留７を係止しようとする際に、係合部１５が当接する部位γが斜面４１に形成されることによって、係合部１５Ａとの当接力によって、スライド板２２Ａを、係合部１５Ａが開口部３４に挿通する位置まで待避させることができるようになっている。なお、スライド板２２Ｂについてもスライド板２２Ａと同様に斜面４１が形成される。これによって、中留７を係止する際に、係合部１５Ａ、１５Ｂを確実に各スライド板２２Ａ、２２Ｂの開口部３４に係合させることができるようになっている。
【００１８】
次に実施形態の動作を説明する。
図２に示すように中留７を拡げた状態から中留本体１２及び下板１３を中板１４の方向に回動させていくと、スライド板２２Ａの開口部３４の斜面４１が、係合部１５Ａに当接してスライド板２２Ａがコイルばね４０の付勢力に抗して、他方のスライド板２２Ｂ側に移動すると共に、スライド板２２Ｂの開口部３４の斜面４１が、係合部１５Ｂに当接してスライド板２２Ｂがコイルばね４０の付勢力に抗して、他方のスライド板２２Ａ側に移動する。
そして、スライド板２２Ａの開口部３４の斜面４１が係合部１５Ａの先端部を過ぎると、スライド板２２Ａがコイルばね４０の付勢する方向に移動して係合部１５Ａが開口部３４の縁部に係合すると共に、スライド板２２Ｂの開口部３４の斜面４１が係合部１５Ｂの先端部を過ぎると、スライド板２２Ｂがコイルばね４０の付勢する方向に移動して係合部１５Ａが開口部３４の縁部に係合する。これにより、中留７が閉じた状態にロックされる。
【００１９】
このロックを解除する場合、図５に示すように、一対のプッシュボタン１２Ａ、１２Ｂをバンド５の幅方向の内側に向けて押下すると、各プッシュボタン１２Ａ、１２Ｂとそれぞれ一体的に形成されたスライド板２２Ａ、２２Ｂがその間隔を狭める方向に移動し、各開口部３４と係合部１５Ａ、１５Ｂとの係合が解かれ、中留７が外れる。なお、この構成では、一対のプッシュボタン１２Ａ、１２Ｂの両方を同時操作しなければロックは解除されないので、携帯中にいずれか一方のプッシュボタン１２Ａ、１２Ｂに押し下げるような力が作用しても不意に外れることがない。
【００２０】
本実施形態では、一対のプッシュボタン１２Ａ、１２Ｂのそれぞれと一体的に形成される一対のスライド板２２Ａ、２２Ｂをバンド５の幅方向に間隔を空けて配置すると共に、各スライド板２２Ａ、２２Ｂがそれぞれ係合する一対の係合部１５Ａ、１５Ｂを設けることにより、この種のスライド部材を重ねて配置した従来の中留に比して薄くすることができる。また、この一対のスライド板２２Ａ、２２Ｂを近接して配置することによって、中留７の幅を狭くすることができる。
特に、スライド板２２Ａ、２２Ｂの凹み部３３の低い部分に係合部１５Ａ、１５Ｂの一方がそれぞれ係合する開口部３４を設け、図４に示すように、係合したときに係合部１５Ａ、１５Ｂの先端部１５Ｃが、凹み部３３の凹んだ空間の範囲β内に収まるようにしたことにより、中留７をより薄くすることが容易となる。
【００２１】
また、本実施形態では、この一対のスライド板２２Ａ、２２Ｂが、バンド５の幅方向Ｙに切り欠いた切欠き部３２Ａ、３２Ｂを対向する位置に有し、この対向する切欠き部３２Ａ、３２Ｂで形成される空間にコイルばね４０を配置したことにより、プッシュボタン１２Ａ、１２Ｂを含めた中留７の幅全体を狭くすることが容易となる。
【００２２】
さらに、本実施形態の中留７は、表カバー２１と、一対のスライド板２２Ａ、２２Ｂと、一枚の板部材を折り曲げて形成した保持体２３と、コイルばね４０、連結ピン３０だけで構成されるため、部品点数が少なく、かつ、各部品の作成も容易である。特に、保持体２３のピン穴部２６、２７の一部を切り曲げてスライド板２２Ａ、２２Ｂの移動範囲を規制する張り出し部２６Ａ、２６Ｂを形成したことにより、簡易な加工で、保持体２３にスライド板２２Ａ、２２Ｂの移動範囲の規制機能を持たせることができる。
【００２３】
上述した実施形態は、あくまでも本発明の一態様を示すものであり、本発明の範囲内で任意に変形が可能である。上記実施形態では、三折れ方式（三折れプッシュ方式）について説明したが、これに限定されず、両開き（観音開き）方式、二つ折れ方式等にも上記構成を適用可能なことは云うまでもない。また、上記実施形態では、腕時計のバンドの中留について述べたが、ブレスレット等の装身具を留める中留に広く適用することが可能である。
【図面の簡単な説明】
【００２４】
【図１】本発明の実施形態に係る腕時計の外観構成を示す図である。
【図２】腕時計の中留を拡げた状態を示す斜視図である。
【図３】中留本体の分解斜視図である。
【図４】中留のロック機構の断面図である。
【図５】中留のロック機構の平面図である。
【図６】スライド部材と係合部との位置関係を模式的に示す図である。
【符号の説明】
【００２５】
１…腕時計、３…時計本体、５…バンド、７…中留、１２…中留本体、１２Ａ、１２Ｂ…プッシュボタン、１３…下板、１４…中板、１５、１５Ａ、１５Ｂ…係合部、２１…表カバー、２２Ａ、２２Ｂ…スライド板（スライド部材）、２３…保持体（保持部材）、３３…凹み部、３４…開口部、４０…コイルばね（付勢部材）。
【図１】
2005137790.tif 000003
【図２】
2005137790.tif 000004
【図３】
2005137790.tif 000005
【図４】
2005137790.tif 000006
【図５】
2005137790.tif 000007
【図６】
2005137790.tif 000008